(57)【要約】【課題】オイルガードのメンテナンスや掃除を簡単に行うことができるエンジン作業機を提供する。【解決手段】発電機１４とエンジン１５とを収容したケーシング１２の下部に、オイルガード１８を設ける。オイルガード１８は、内部にオイルガード１８の上縁よりも低い鉛直方向の仕切壁１８ａを設け、仕切壁１８ａの一側方にドレン室１９を設ける。仕切壁１８ａの他側方の上方に、オイルガード１８の他側壁１８ｂから仕切壁１８ａに向けて下方に傾斜する天井壁１８ｃを形成し、この天井壁１８ｃにより、燃料タンク部２０と、オイルガード部２１とを形成する。天井壁１８ｃに機器支持フレーム１３ａ，１３ｂを一体に取り付ける。ドレン室１９に、オイルガード１８の底壁１８ｆよりも下方に突出する突出部１９ａを設け、突出部１９ａにドレンポート１９ｂを形成する。【選択図】図１
2019163729.tif 000002
【特許請求の範囲】
【請求項１】
内部に作業機と該作業機を駆動するエンジンとを収容したケーシングの下部に、上部がケーシング内に開口し、油分が外部へ流出することを防止するオイルガードを備えたエンジン作業機において、
前記オイルガードは、内部に該オイルガードの上縁よりも低い鉛直方向の仕切壁を設け、該仕切壁の一側方にドレン室を設け、前記仕切壁の他側方の上方に、前記オイルガードの他側壁から前記仕切壁に向けて下方に傾斜する天井壁を形成し、前記天井壁と、前記仕切壁と、前記オイルガードの三方の側壁と、前記オイルガードの底壁とで囲まれた燃料タンク部と、該天井壁より上方に形成されるオイルガード部とを形成し、前記天井壁に前記作業機と前記エンジンとを支持する機器支持フレームを一体に取り付けるとともに、前記ドレン室は、前記オイルガードの前記底壁よりも下方に突出する突出部を設け、該突出部にドレンポートを形成したことを特徴とするエンジン作業機。
【発明の詳細な説明】
【技術分野】
【０００１】
本発明は、エンジン作業機に関し、詳しくは、エンジン及び作業機を収容するケーシングの下部に、上部がケーシング内に開口したオイルガードを備えたエンジン作業機に関する。
【背景技術】
【０００２】
建築や土木工事などの現場あるいは災害時の現場や避難所では、発電機、コンプレッサ、油圧ユニットなどの各種作業機をディーゼルエンジンで駆動する可搬式のエンジン作業機が多く用いられている。このようなエンジン作業機として、防音構造を有するケーシングの下部に設けられた架台上に作業機と該作業機を駆動するエンジンとを収容し、ケーシングの下部に、燃料タンクを配置するとともに、該燃料タンクの周囲に、エンジンや燃料タンクからエンジンオイルや燃料が漏洩したとしても、これらの油分が外部へ流出することを防止するためのオイルガードを設けたエンジン作業機が知られている（例えば、特許文献１参照。）。
【先行技術文献】
【特許文献】
【０００３】
【特許文献１】特開２０１２−４７０４８号公報
【発明の概要】
【発明が解決しようとする課題】
【０００４】
しかし、上述の特許文献１のエンジン作業機では、箱形に形成されたオイルガードの内部に燃料タンクが配置されており、オイルガードと燃料タンクとの間に形成される隙間に汚れが溜まり、また、その状態を目視することができないことから、オイルガードや燃料タンクのメンテナンス作業や清掃作業をする際には、各種機器を架台から下ろした後、オイルガードの上部から架台を外すとともに、燃料タンクをオイルガードの外に移動させ、オイルガードの上部を開放した状態としなくてはならないことから、作業に手間が掛かっていた。
【０００５】
そこで本発明は、オイルガードのメンテナンスや掃除を簡単に行うことができるエンジン作業機を提供することを目的としている。
【課題を解決するための手段】
【０００６】
上記目的を達成するため、本発明のエンジン作業機は、内部に作業機と該作業機を駆動するエンジンとを収容したケーシングの下部に、上部がケーシング内に開口し、油分が外部へ流出することを防止するオイルガードを備えたエンジン作業機において、前記オイルガードは、内部に該オイルガードの上縁よりも低い鉛直方向の仕切壁を設け、該仕切壁の一側方にドレン室を設け、前記仕切壁の他側方の上方に、前記オイルガードの他側壁から前記仕切壁に向けて下方に傾斜する天井壁を形成し、前記天井壁と、前記仕切壁と、前記オイルガードの三方の側壁と、前記オイルガードの底壁とで囲まれた燃料タンク部と、該天井壁より上方に形成されるオイルガード部とを形成し、前記天井壁に前記作業機と前記エンジンとを支持する機器支持フレームを一体に取り付けるとともに、前記ドレン室は、前記オイルガードの前記底壁よりも下方に突出する突出部を設け、該突出部にドレンポートを形成したことを特徴としている。
【発明の効果】
【０００７】
本発明のエンジン作業機によれば、ケーシングに形成された点検扉を開けて、燃料タンク部や、燃料タンク部の上部に設けられたオイルガード部を目視しながらメンテナンス作業や清掃作業を行うことができることから、従来に比べて、メンテナンス作業や清掃作業の作業工程を大幅に減少させることができる。また、エンジンから漏れたエンジンオイルや、給油中に溢れた燃料や、ケーシング内に浸入した雨水は、天井壁に落下し、該天井壁の傾斜に沿って、ドレン室に集められ、ドレンポートから抜き取ることができる。さらに、燃料タンク部とオイルガード部とを一体に形成するとともに、天井壁に作業機とエンジンとを支持する機器支持フレームを一体に取り付けたことから、部品点数の低減を図ることができる。
【図面の簡単な説明】
【０００８】
【図１】本発明の一形態例を示すエンジン作業機の断面側面図である。
【図２】同じくオイルガードの平面図である。
【図３】図２のIII-III断面図である。
【図４】本発明の一形態例を示すオイルガードの側面図である。
【図５】図４のV-V断面図である。
【図６】図４のVI−VI断面図である。
【発明を実施するための形態】
【０００９】
図１乃至図６は本発明のエンジン作業機の一形態例を示す図で、エンジン作業機１１は、防音構造を有するケーシング１２の下部に設けられた複数の機器支持フレーム１３の上に、作業機の一つである発電機１４と、該発電機１４を駆動するエンジン１５と、ラジエータ１６，マフラ１７などの機器を収容するとともに、ケーシング１２の下部には、上部がケーシング１２内に開口し、油分が外部へ流出することを防止するオイルガード１８が設けられている。また、ケーシング１２には、内部機器の保守作業を行うための複数の点検扉（図示せず）が設けられている。
【００１０】
オイルガード１８は、内部にオイルガード１８の上縁よりも低い鉛直方向の仕切壁１８ａを設け、該仕切壁１８ａの一側方にドレン室１９が設けられる。仕切壁１８ａの他側方の上方には、オイルガード１８の他側壁１８ｂから仕切壁１８ａに向けて下方に傾斜する天井壁１８ｃが形成され、この天井壁１８ｃにより、天井壁１８ｃと、仕切壁１８ａと、オイルガード１８の他側壁１８ｂと前壁１８ｄと後壁１８ｅと底壁１８ｆとで囲まれた燃料タンク部２０と、天井壁１８ｃよりも上方に形成されるオイルガード部２１とが形成される。
【００１１】
燃料タンク部２０は、天井壁１８ｃに、燃料タンク部２０に給油する給油口２０ａと、発電機１４を支持する発電機用の機器支持フレーム１３ａと、エンジン１５を支持するエンジン用の機器支持フレーム１３ｂとが一体に設けられている。また、燃料タンク部２０には、燃料の吸込み用配管２０ｂと燃料の戻り用配管２０ｃがそれぞれ連結され、仕切壁１８ａの下端部には、ドレン室１９を通過して外部に突出する排油ポート２０ｄが設けられている。ドレン室１９は、オイルガード１８の底壁１８ｆよりも下方に突出する突出部１９ａが設けられ、該突出部１９ａにドレンポート１９ｂが形成されている。
【００１２】
本形態例は上述のように形成されていることから、ケーシング１２に形成された点検扉を開けて、燃料タンク部２０や、燃料タンク部２０の上部に設けられたオイルガード部２１を目視しながらメンテナンス作業や清掃作業を行うことができる。従って、従来に比べて、メンテナンス作業や清掃作業の作業工程を大幅に減少させることができる。また、エンジン１５から漏れたエンジンオイルや、燃料タンク部２０を給油中に溢れた燃料や、ケーシング１２内に浸入した雨水は、天井壁１８ｃに落下し、該天井壁１８ｃの傾斜に沿って、ドレン室１９に集められ、ドレンポート１９ｂから抜き取ることができる。さらに、燃料タンク部２０とオイルガード部２１とを一体に形成するとともに、天井壁１８ｃに発電機１４とエンジン１５とを支持する機器支持フレーム１３ａ,１３ｂを一体に取り付けたことから、部品点数の低減を図ることができる。
【００１３】
なお、本発明は上述の形態例に限るものではなく、燃料タンク部に設けられる給油口の形成位置や、吸い込み用配管、及び、戻り用配管の配置位置は任意である。
【符号の説明】
【００１４】
１１…エンジン作業機、１２…ケーシング、１３，１３ａ，１３ｂ…機器支持フレーム、１４…発電機、１５…エンジン、１６…ラジエータ、１７…マフラ、１８…オイルガード、１８ａ…仕切壁、１８ｂ…他側壁、１８ｃ…天井壁、１８ｄ…前壁、１８ｅ…後壁、１８ｆ…底壁、１９…ドレン室、１９ａ…突出部、１９ｂ…ドレンポート、２０…燃料タンク部、２０ａ…給油口、２０ｂ…吸込み用配管、２０ｃ…戻り用配管、２０ｄ…排油ポート、２１…オイルガード部
【図１】
2019163729.tif 000003
【図２】
2019163729.tif 000004
【図３】
2019163729.tif 000005
【図４】
2019163729.tif 000006
【図５】
2019163729.tif 000007
【図６】
2019163729.tif 000008